(57)【要約】【課題】振動発生部を内蔵するハンドピースに装着されるチップであって、チップの先端部の冷却が確実に行うことができ、狭い治療部位での治療に好適なチップを提供する。【解決手段】振動源を内蔵するハンドピースに装着されるチップ２０は、ハンドピースに装着される基部２１と作用部２５を有する先端部２２とからなっている。基部２１および先端部２２の内部には液体供給路２４が設けられ、先端部２２の作用部２５が、全表面にわたって複数個所の液体放出部を有している。作用部２５は、例えば、複数の球状体からなり、液体放出部が複数の球状体の間に形成された間隙から構成される。【選択図】図２
2016059586.tif 000002
【特許請求の範囲】
【請求項１】
振動源を内蔵するハンドピースに装着されるチップであって、前記ハンドピースに装着される基部と、作用部を有する先端部とからなり、該基部および先端部の内部に液体供給路を有し、前記先端部の前記作用部が、全表面にわたって複数個所の液体放出部を有することを特徴とするチップ。
【請求項２】
前記チップの前記作用部が前記液体供給路の前記先端部の開口周辺に設けた複数の球状体および/または多面体からなり、前記液体放出部が前記複数の球状体および/または多面体の間に形成された間隙から構成されることを特徴とする請求項１に記載のチップ。
【請求項３】
前記チップの前記作用部が前記液体供給路の前記先端部の開口周辺に設けた連続気泡構造体からなり、前記液体放出部が前記連続気泡構造体の有する間隙によって構成されることを特徴とする請求項１に記載のチップ。
【発明の詳細な説明】
【技術分野】
【０００１】
本発明はチップに関し、より詳細には、振動発生部を内蔵するハンドピースに装着されるチップに関する。
【背景技術】
【０００２】
エアースケーラや超音波スケーラなどの振動を用いたスケーラ装置は、歯石除去はもとより、補綴物の除去、歯内療法時の根管形成、根管洗浄等に用いられている。このようなスケーラ装置は、ハンドピースとチップ（切削工具）とを有しており、ハンドピースの把持部にはエアー駆動による振動発生部あるいは超音波振動子を用いた電気駆動による振動発生部が内蔵され、この振動発生部からの振動をハンドピース先端に装着したチップに伝えるための振動体を有している。
【０００３】
そして、ハンドピースの振動発生部からの振動は、振動体によって増幅されチップに伝達されるようになっている。チップの先端は、根管内や歯周ポケットに挿入されて、根管内壁の切削や補綴物の除去、歯石除去等に用いられる。また、チップによっては、インプラント時において骨に穴を形成するために用いられる。
【０００４】
このようなスケーラ装置は、チップの先端部分の作用端の振動によって歯牙の切削がなされるため、歯牙治療中、歯牙を冷却できなければ、治療部位の発熱による細胞の壊死や火傷等による損傷が起こる可能性がある。このため、例えば、特許文献１では、シャンク部と作用部を有するチップのシャンク部内に水供給路を設け、水供給通路の出口はシャンク部と作用部との間の屈曲部の手前においてシャンク部の外周に開口させたものが開示されている。また、特許文献２には、チップの内部に流体供給溝を有し、該流体供給溝が、作業面に達する複数の溝分路に分岐させたものが開示されている。
【先行技術文献】
【特許文献】
【０００５】
【特許文献１】特開２００２−１５９５１０号公報
【特許文献２】特許第３３８８５４５号公報
【発明の概要】
【発明が解決しようとする課題】
【０００６】
このように、従来から、切削箇所に注水して歯牙切削具の刀部と歯牙治療部位との接触面を冷却することが行われているが、例えば、特許文献１に開示されたものでは、チップを狭い歯周ポケットや歯牙の根管内に挿入した場合は、作用部であるチップの先端部まで十分に注水ができないという問題があった。また、特許文献２に開示されたものでは、作業面以外の面が十分に冷却できないため、狭い治療部位に挿入して治療を行う際に、作業面以外の部分による治療部位の損傷を招くことがあった。これらの問題は、インプラント時に用いられるチップの冷却についても基本的には同様である。
【０００７】
本発明は、これらの実情に鑑みてなされたものであり、振動発生部を内蔵するハンドピースに装着されるチップであって、チップの先端部の冷却が確実に行うことができ、狭い治療部位での治療に好適なチップを提供することをその目的とする。
【課題を解決するための手段】
【０００８】
上記課題を解決するために、請求項１の発明は、振動源を内蔵するハンドピースに装着されるチップであって、前記ハンドピースに装着される基部と、作用部を有する先端部とからなり、該基部および先端部の内部に液体供給路を有し、前記先端部の前記作用部が、全表面にわたって複数個所の液体放出部を有することを特徴とするものである。
【０００９】
請求項２の発明は、請求項１の発明において、前記チップの前記作用部が前記液体供給路の前記先端部の開口周辺に設けた複数の球状体および/または多面体からなり、前記液体放出部が前記複数の球状体および/または多面体の間に形成された間隙から構成されることを特徴とするものである。
【００１０】
請求項３の発明は、請求項１の発明において、前記チップの前記作用部が前記液体供給路の前記先端部の開口周辺に設けた連続気泡構造体からなり、前記液体放出部が前記連続気泡構造体の有する間隙によって構成されることを特徴とするものである。
【発明の効果】
【００１１】
本発明によれば、チップの先端部の冷却を確実に行うことができ、狭い治療部位での治療に好適であり、治療部位の発熱による細胞の壊死や火傷等による損傷の発生を防止することができる。また、振動が超音波の場合は、確実にキャビテーションを発生することができる。
【図面の簡単な説明】
【００１２】
【図１】本発明に係るチップを装着したハンドピースの一例を示す断面図である。
【図２】本発明に係るチップの一例を示す図である。
【図３】本発明に係るチップの他の一例を示す図である。
【発明を実施するための形態】
【００１３】
以下、図面を参照しながら、本発明のチップに係る好適な実施の形態について説明する。以下の説明において、異なる図面においても同じ符号を付した構成は同様のものであるとして、その説明を省略する場合がある。以下、チップの振動源として超音波素子を有するハンドピースについて説明するが、駆動源がエアーであっても構わない。
【００１４】
図１は、本発明に係るチップを装着したハンドピースの一例を示す断面図である。ハンドピース１０は、ハンドピース本体１１とこのハンドピース本体１１の後端側（図面右側）に接続プラグ１９を介して接続された接続ソケット１２を備えている。接続ソケット１２には図示しない歯科治療ユニットから電力や冷却水の供給を受けるためのホース３０が接続されている。
【００１５】
ハンドピース本体１１の内部には、超音波振動子１３と超音波振動体１４の振動をチップ２０に伝える超音波振動体（ホーン）１４が設けられている。超音波振動子１３は、厚さ方向に分極された円板状の圧電素子を同軸上に多数重ねて一体化した超音波発生部材を円筒状ホルダ内に収納したものからなり、高周波電源を印加したとき発生する圧電歪によりチップを振動させるものである。超音波振動子１３にはホース３０を通して図示しない歯科治療ユニットに接続された電源コード１８から高周波電力が供給される。
【００１６】
超音波振動体１４は超音波振動子１３の振動をチップに伝えるためのものであり、超音波振動体１４の先端部には、チップ２０を装着するための軸孔１５が設けられており、軸孔１５の内周面には雌ねじ１５ａが形成されている。軸孔１５の後端部には冷却水供給用の孔１６が設けられており、軸孔１５には、ホース３０を通して図示しない歯科治療ユニットに接続された給水チューブ１７から冷却水が注入される。
【００１７】
チップ２０は、通常金属材料からなり、ハンドピース１０に取り付けられる基部２１と、作用部を有する先端部２２を備えている。基部２１の端部には、雄ねじ２３ａが形成されており、この雄ねじ２３ａをハンドピース１０の内部の超音波振動体１４の軸孔１５に螺合することにより、チップ２０をハンドピース１０に着脱自在に取り付けるようにしている。また、雄ねじ２３ａを設けた部分の軸方向長さは、超音波振動体１４の軸孔１５の軸方向長さよりも短く構成されており、チップ２０をハンドピース１０に装着した際に、軸孔１５の後端部に空間が形成され、この空間に先述の冷却水供給用の孔１６が開口している。
【００１８】
チップ２０の基部２１および先端部２２の内部には、液体供給路２４が設けられている。これにより、チップ２０をハンドピース１０に装着した際、給水チューブ１７から軸孔１５に注入された冷却水は、チップ２０内の液体供給路２４を通って、後述するように、チップ２０の先端部２２の作用部の全表面に設けた液体放出部から外部へ放出されるようになっている。
【００１９】
本発明の主たる目的は、振動発生部を内蔵するハンドピースに装着されるチップであって、チップの先端部の冷却が確実に行うことができ、狭い治療部位での治療に好適なチップを提供することである。このための構成として、本発明に係るチップは、ハンドピースに装着される基部と、作用部としての先端部とを備え、基部と先端部の内部に液体供給路を有するとともに、前記先端部の作用部が全表面にわたって複数個所の液体放出部を有しているが、以下にチップの構成について説明する。
【００２０】
図２は、本発明に係るチップの一例を示す図である。図２に示すチップ２０は、ハンドピース１０に取り付けられる基部２１と、作用部２５を有する先端部２２を備えている。ここで、作用部とは、チップ２０を切削工具として用いる場合に、直接治療部位に接触させる箇所を意味しており、換言すれば、切削工具の刃ともいえる。図２に示すチップ２０では、この作用部２５は、先端部２２の端部とその近傍の全周面が作用部として機能するように、液体供給路２４の先端部２２の開口周辺に設けた複数の球状体２６からなっている。また、先端部２２が口腔内の治療部位に届きやすくするために、基部２１の中心軸線と先端部２２の中心軸線とは所定の角度を有するようにしている。なお、基部２１と先端部２２とは直線上に配置されていても構わない。
【００２１】
作用部２５は、例えば、複数の粒状の金属球状体を融着によってそれぞれを結合することによって作製される。そして、各球状体２６間の間隙は、液体供給路２４を通じて供給された冷却水の液体放出部となる。このため、本実施形態では、先端部２２の作用部２５の全表面にわたって複数の液体放出部が形成されている。また、各金属球状体には、ダイヤモンド粉を電着によって被覆するようにしてもよい。これにより、作用部２５の硬度を高めることができ、効率的な切削が可能となる。なお、球状体は真球である必要はない。さらに、作用部２５を複数のダイヤモンド粒子を電着により結合したものとしてもよい。また、作用部２５としては、金属球状体の代わりに金属多面体を用いてもよく、さらに金属球状体と金属多面体との混合体を用いてもよい。
【００２２】
図３は、本発明に係るチップの他の一例を示す図である。図３に示すチップ２０も、図２に示すチップ２０と同様に、ハンドピース１０に取り付けられる基部２１と、作用部２５を有する先端部２２を備えている。図３に示すチップ２０では、作用部２５は、先端部２２の端部とその近傍の全周面が作用部として機能するように、液体供給路２４の先端部２２の開口周辺に設けた連続気泡構造体２７からなっている。連続気泡構造体２７としては、例えば通気性を有するポーラス金属や多孔質セラミックを用いることができる。そして、連続気泡構造体２７の開口は液体放出部として作用し、液体供給路２４を通じて供給された冷却水は、連続気泡構造体２７内の気泡を通じて作用部２５の全表面に放出されることになる。
【００２３】
以上、上記に示した実施形態として、チップ先端部の作用部はとがった形状のものを示したが、その作用部の形状は、用途に応じて例えば、鎌形，鍬形，匙形，やすり形，のみ形等、種々の形状であっても構わない。そして、本発明によれば、チップの先端部の端部とその近傍の全周面を作用部として機能させるとともに、作用部の全表面にわたって複数個所の液体放出部を設けたので、作用部の冷却を確実に行うことができる。また、作用部には冷却液が常に供給されるため、超音波振動子を有するハンドピースに装着した場合は、確実にキャビテーションを発生することができる。
【符号の説明】
【００２４】
１０…ハンドピース、１１…ハンドピース本体、１２…接続ソケット、１３…超音波振動子、１４…超音波振動体、１５…軸孔、１５ａ…雌ねじ、１６…孔、１７…給水チューブ、１８…電源コード、１９…接続プラグ、２０…チップ、２１…基部、２２…先端部、２３ａ…雄ねじ、２４…液体供給路、２５…作用部、２６…球状体、２７…連続気泡構造体。
【図１】
2016059586.tif 000003
【図２】
2016059586.tif 000004
【図３】
2016059586.tif 000005